(57)【要約】【課題】足裏の低周波治療ができると共に、足裏の温熱治療ができ、しかも、温熱治療に用いる電極を効果的に加熱することができる足裏用低周波治療装置を提供する。【解決手段】各種回路が内蔵された中空状のケース１の上面の両側部に一対の足載置部２を配置すると共に、該足載置部２間に操作部３を配設し、前記足載置部２における足裏のツボに相当する位置に電極４を配置した足裏用低周波治療装置Aにおいて、前記足載置部２に足裏の加熱手段を設け、該加熱手段はヒーター線８とし、該ヒーター線８を前記電極４に近接または接触して配設すると共に、電極４の直下を通過するように配設している。【選択図】図２
0003124868.tif 000002
【実用新案登録請求の範囲】
【請求項１】
各種回路が内蔵された中空状のケースの上面の両側部に一対の足載置部を配置すると共に、該足載置部間に操作部を配設し、前記足載置部における足裏のツボに相当する位置に電極を配置した足裏用低周波治療装置において、
前記足載置部に足裏の加熱手段を設け、該加熱手段はヒーター線とし、該ヒーター線を前記電極の直下に近接または接触して通過するように配設したことを特徴とする足裏用低周波治療装置。
【請求項２】
各種回路が内蔵された中空状のケースの上面の両側部に一対の足載置部を配置すると共に、該足載置部間に操作部を配設し、前記足載置部における足裏のツボに相当する位置に電極を配置した足裏用低周波治療装置において、
前記電極は頭部を半球形にした略円筒形に形成して前記一対の足載置部に形成された挿入穴に固定ネジで固定し、
前記足載置部に足裏の加熱手段を設け、該加熱手段はヒーター線とし、該ヒーター線は前記電極の直下を近接して通過するように配設し、前記電極の範囲内で円弧を描いて曲がるように構成したことを特徴とする足裏用低周波治療装置。
【請求項３】
各種回路が内蔵された中空状のケースの上面の両側部に一対の足載置部を配置すると共に、該足載置部間に操作部を配設し、前記足載置部における足裏のツボに相当する位置に電極を配置した足裏用低周波治療装置において、
前記電極は頭部を半球形にした略円筒形に形成して前記一対の足載置部に形成された挿入穴に固定ネジで固定し、
前記足載置部に足裏の加熱手段を設け、該加熱手段はヒーター線とし、該ヒーター線は前記一対の足載置部に形成されたヒーター溝に配設して前記電極の直下に接触して通過するように配設し、該ヒーター線は前記電極の範囲内で円弧を描いて曲がるように構成したことを特徴とする足裏用低周波治療装置。
【考案の詳細な説明】
【技術分野】
【０００１】
本考案は、足裏を温めながら、電極を介して足裏のツボに低周波電圧を作用させることを可能にした、足裏用低周波治療装置に関するものである。
【背景技術】
【０００２】
従来において、足裏のツボに電気治療のパルスを当てて刺激する装置として、実用新案登録第３０６９２５２号公報に示すような足裏用低周波治療装置が存在する。
【０００３】
この足裏用低周波治療装置は、各種回路が内蔵された中空状のケースの上面の両側部に一対の足載置部を配置すると共に、該足載置部間に操作部を配設し、各足載置部における足裏のツボに相当する位置に電極を配置した低周波治療装置において、足載置部に、足載置部と電極の両方を温める足裏の温熱手段を設けて、低周波治療と同時に温熱治療も行えるようにして、足裏の血行を良好にし、身体の新陳代謝を活発化させるものである。
【特許文献１】実用新案登録第３０６９２５２号公報
【考案の開示】
【考案が解決しようとする課題】
【０００４】
しかしながら、上述した従来の足裏用低周波治療装置においては、電極を加熱するヒーター線が、電極と離れた位置からケースを介して加熱するものであるから、加熱方法が間接的であり、効率的な加熱ができないという問題があった。
【０００５】
また、足裏の治療を行う際には、足裏の位置によって電極の温度を変えた方が良い場合もあるが、前述の足裏用低周波治療装置は、複数の電極とヒーター線の距離がほぼ一定であり、複数の電極が一様の温度に加熱されてしまうので、電極の温度を個別に調節できないという問題もあった。
【０００６】
そこで、本考案は、上述した従来の問題点に鑑みなされたもので、足裏の低周波治療ができると共に、足裏の温熱治療ができ、しかも、温熱治療に用いる電極を効果的に加熱することができる足裏用低周波治療装置を提供するものである。
【課題を解決するための手段】
【０００７】
本考案は、各種回路が内蔵された中空状のケースの上面の両側部に一対の足載置部を配置すると共に、該足載置部間に操作部を配設し、前記足載置部における足裏のツボに相当する位置に電極を配置した足裏用低周波治療装置において、
前記足載置部に足裏の加熱手段を設け、該加熱手段はヒーター線とし、該ヒーター線を前記電極の直下に近接または接触して通過するように配設したことで、上述した課題を解決した。
【０００８】
また、各種回路が内蔵された中空状のケースの上面の両側部に一対の足載置部を配置すると共に、該足載置部間に操作部を配設し、前記足載置部における足裏のツボに相当する位置に電極を配置した足裏用低周波治療装置において、
前記電極は頭部を半球形にした略円筒形に形成して前記一対の足載置部に形成された挿入穴に固定ネジで固定し、
前記足載置部に足裏の加熱手段を設け、該加熱手段はヒーター線とし、該ヒーター線は前記電極の直下を近接して通過するように配設し、前記電極の範囲内で円弧を描いて曲がるように構成したことで、同じく上述した課題を解決した。
【０００９】
さらに、各種回路が内蔵された中空状のケースの上面の両側部に一対の足載置部を配置すると共に、該足載置部間に操作部を配設し、前記足載置部における足裏のツボに相当する位置に電極を配置した足裏用低周波治療装置において、
前記電極は頭部を半球形にした略円筒形に形成して前記一対の足載置部に形成された挿入穴に固定ネジで固定し、
前記足載置部に足裏の加熱手段を設け、該加熱手段はヒーター線とし、該ヒーター線は前記一対の足載置部に形成されたヒーター溝に配設して前記電極の直下に接触して通過するように配設し、該ヒーター線は前記電極の範囲内で円弧を描いて曲がるように構成したことで、同じく上述した課題を解決した。
【考案の効果】
【００１０】
本考案は、各種回路が内蔵された中空状のケースの上面の両側部に一対の足載置部を配置すると共に、該足載置部間に操作部を配設し、前記足載置部における足裏のツボに相当する位置に電極を配置したことにより、足裏のツボに低周波治療を行うことができると共に、温熱治療ができるので、足裏の血行を良くして新陳代謝の活発化を図ることができ、これらの治療の相乗効果により、体調の改善をより効果的に行うことができる。
【００１１】
また、足載置部も温めるため、この足載置部と電極により、効率良く温熱治療を行うことができる。
【００１２】
さらに、本考案は、加熱手段を電極の直下に近接または接触して配設したので、加熱手段からの電極の加熱を効率的に行うことができ、従来に比して少ない時間で電極を所定の温度に加熱できるものである。
【００１３】
また、本考案は、電極の直下を通過する加熱手段の電極の範囲内における長さを円弧部分において任意に変えることができるので、電極により加熱手段の円弧部分の長さを調整することにより、電極毎に最適の温度に設定することが可能になる。
【考案を実施するための最良の形態】
【００１４】
以下に、本考案に係る足裏用低周波治療装置を実施するための最良の形態を、図面に基づいて説明する。
【００１５】
図１は本考案に係る足裏用低周波治療装置の全体構成を示す平面図、図２は図１の足裏用低周波治療装置における足載置部の内部構成を示す平面図、図３は図２の足載置部における電極の設置状態を示す要部拡大断面図、図４は図２の足載置部における電極の設置状態の他の実施例を示す要部拡大断面図、図５は図２の足載置部の他の実施例を示す平面図である。
【００１６】
本考案に係る足裏用低周波治療装置Ａは、図１に示すように、各種回路が内蔵された中空状のケース１の上面の両側部に一対の足載置部２，２を配置すると共に、この足載置部２，２間に操作部３を配設し、各足載置部２，２における足裏のツボに相当する位置に複数の電極４，４，４・・・を配置したものである。そして、これらの電極４，４，４・・・には、加熱手段となるヒーター線８を、電極４に近接して配設している。
【００１７】
この各足載置部２は、図２に示すように、加熱手段であるヒーター線８の配置を、各電極４，４，４・・・間を通すように蛇行させて配置している。また、電極４は、足載置部２，２の足指位置に設置された単独の９個の電極４ａと、土踏まず位置に設置された連接した４個の電極４ｂと、土踏まず位置に設置された単独の１個の電極４ｃと、踵位置に設置された単独の４個の電極４ｄとから構成されている。そして、電極４の直下においては、電極４との接触面が大きくなるように、電極４の範囲内において円弧状に曲げられている。ヒーター線８をこのように配置することにより、電極４を効率的に加熱することができるものである。
【００１８】
また、電極４は、図３に示すように、例えば、カーボン粉末を混在させたポリオキシメチレンプラスチックのような導電性樹脂若しくは金属等を用いて半球体に形成されたものを使用するが、２個の半球体を連設して形成したものでも良い。この電極４は、ケース１に形成された配設穴１ａに挿入され、下側よりプリント基板５を介して固定ネジ６により固定している。
【００１９】
この固定ネジ６は、電極４を固定すると共に、プリント基板５に形成された図示しない接続回路と電極４を電気的に接続するものであり、プリント基板５は、接続コード７に接続している。この接続コード７は、後述する低周波電圧発生回路に接続しており、この低周波電圧発生回路で発生する正弦波や間欠のパルス電圧を接続コード７、プリント基板５、固定ネジ６を経由して電極４に伝達するようになっている。そして、この接続コード７は、所定回路を経由して電源コードに接続されている。
【００２０】
また、電極４を加熱する加熱手段であるヒーター線８は、断面円形状に形成されている。そして、電極４の直下のケース１に、逆Ｕ字形状のヒーター溝１ｂを形成し、このヒーター溝１ｂにヒーター線８を埋め込むものである。これにより、このヒーター線８と電極４は近接した状態となり、ヒーター線８の電熱を素早く電極４に伝達するので、電極４を効率的に加熱できるものである。そのため、電極４が所定の温度に達する時間が早くなり、従来に比して少ない電力で目的を達することができるようになる。
【００２１】
さらに、電極４とヒーター線１８の接触面積を増やして電極４を効率的に加熱するためには、図４に示すように、ヒーター線１８の形状を、断面矩形状とする。また、ヒーター溝１ｃも矩形状にして、その上部を開放したものにすれば、電極４とヒーター線１８が直接的に接触すると共に、電極４とヒーター線１８の接触面積も大きくなるため、電極４を一層効率的に加熱できる。
【００２２】
また、図４に示すように、電極４の下部に、断面矩形状のヒーター溝４ｅを設け、ヒーター線１８を、電極４のヒーター溝４ｅとケース１のヒーター溝１ｃにより挟み込んで保持しても良い。すると、電極４とヒーター線１８が直接的に接触すると共に、電極４とヒーター線１８の接触面積がより大きくなるため、電極４を一層効率的に加熱できる。
【００２３】
本考案は、足載置部２と電極４を温めて効率良く温熱治療を行うものであるが、図３に示すように、ヒーター線８が電極４に近接しているときは、電極４の温度よりも、ケース１の足載置部２の温度の方が比較的に高くなる。また、図４に示すように、ヒーター線８が電極４に接触しているときは、ケース１の足載置部２の温度よりも、電極４の温度の方が比較的に高くなる。
【００２４】
なお、ヒーター線８の形状、ヒーター線８と電極４の近接距離、ヒーター線８と電極４の接触面積・接触形状を変えることにより、ケース１の足載置部２の温度と電極４の温度を、ある程度自由に調節することができる。
【００２５】
また、操作部３には、図示しないが数種類の波形と周期の低周波電圧を発生させる低周波電圧回路、この低周波電圧回路と電極４，４，４・・・との間に設けた接続回路、低周波電圧発生時間を設定するタイマー回路、低周波電圧の強さ（電圧）を調整する調整回路、ヒーター線８の接続回路等を選択・接続して電極４，４，４・・・に所望の低周波電圧を供給する各種の調整釦、表示パネルおよび表示ランプを取り付けてある。また、電極４，４，４・・・は、１個または複数個を選択して接続することが可能となっており、選択された電極４は、表示ランプが点灯するようになっている。
【００２６】
このように構成された足裏用低周波治療装置Ａを使用する場合には、まず、刺激する足のツボに対応する電極４，４，４・・・を選択し、足を足載置部２に載せて図示しないスイッチを入れると、低周波電圧回路より選択したパルス等の低周波電圧が電極４，４，４・・・に伝達され、低周波電圧が足のツボに作用する。また、発熱したヒーター線８が電極４，４，４・・・を所定の温度に加熱するので、電極４，４，４・・・より放熱され足裏を温めるものである。同時に、発熱したヒーター線８がケース１の足載置部２も所定の温度に加熱するので、この足載置部２により放熱されて足裏を温めるものである。
【００２７】
上述のように、足裏用低周波治療装置Ａは、各種回路が内蔵された中空状のケース１の上面の両側部に一対の足載置部２，２を配置すると共に、この足載置部間２，２に操作部３を配設し、前記足載置部２，２における足裏のツボに相当する位置に電極４，４，４・・・を配置すると共に、加熱手段のヒーター線８を配設したことにより、足裏のツボに低周波治療を行うことができると共に、温熱治療ができるので、足裏の血行を良くして新陳代謝の活発化を図ることができ、これらの治療の相乗効果により、体調の改善をより効果的に行うことができる。
【００２８】
また、図５は、本考案に係る足裏用低周波治療装置Ａの足載置部１２の他の実施例を示すものである。この足載置部１２は、前述の足載置部２のヒーター線１８について、各電極４，４，４・・・において接触面の長さを変えたものである。そのため、より加熱を必要とする電極４ａでは、電極４ａの範囲内においてヒーター線１８の有効長さを増すために、円周に沿って円弧状に電極４ａとの接触長さを延長している。
【００２９】
一方、あまり加熱を必要としない位置の電極４ｂは、ヒーター線１８は電極４ａとの接触長さを小さくするために円弧を大きくしないものである。
【００３０】
このように構成された足載置部１２は、各電極４，４，４・・・においてヒーター線１８による加熱状態を個別に調整することができるので、各電極４，４，４・・・はそれぞれ最適の温度になるように接触面積等を調整でき、一層効果的な温熱治療ができるので、足裏の血行を良くして新陳代謝の活発化を図ることができ、効果的な足裏用低周波治療装置Aを提供できるものである。
【産業上の利用可能性】
【００３１】
本考案は、足裏の低周波治療ができると共に、足裏の温熱治療ができ、しかも、温熱治療の電極を効果的に加熱することができる足裏用低周波治療装置として、広く利用されるものである。
【図面の簡単な説明】
【００３２】
【図１】本考案に係る足裏用低周波治療装置の全体構成を示す平面図である。
【図２】図１の足裏用低周波治療装置における足載置部の内部構成を示す平面図である。
【図３】図２の足載置部における電極の設置状態を示す要部拡大断面図である。
【図４】図２の足載置部における電極の設置状態の他の実施例を示す要部拡大断面図である。
【図５】図２の足載置部の他の実施例を示す平面図である。
【符号の説明】
【００３３】
Ａ      足裏用低周波治療装置
１      ケース
１ａ    配設穴
１ｂ    ヒーター溝
１ｃ    ヒーター溝
２      足載置部
３      操作部
４      電極
４ａ    電極
４ｂ    電極
４ｃ    電極
４ｄ    電極
４ｅ    ヒーター溝
５      プリント基板
６      固定ネジ
７      接続コード
８      ヒーター線
１２      足載置部
１８      ヒーター線
【図１】
0003124868.tif 000003
【図２】
0003124868.tif 000004
【図３】
0003124868.tif 000005
【図４】
0003124868.tif 000006
【図５】
0003124868.tif 000007